(57)【要約】【課題】工場から客先までの間は、商品を梱包して安全に輸送し、商品の到着後は一時保管が可能で、かつ、内容品を簡単に取り出すことができる梱包用ダンボール箱を提供する。【解決手段】箱体の一側面にノックアウト式に設けられた蓋体２を有し、物品を梱包するダンボール箱であって、該蓋体２は上記箱体の一側面１の上部に設けられた上辺２１と、該上辺２１の両端部に繋がり側片２２と下辺２３とを形成する一連の破断状切込部を設けて構成され、上記下辺２３の略中央部には舌状体２３１が延設されるとともに、上記破断状切込部を切り離した後は、上記蓋体２が上辺２１を軸として開閉自在に施蓋する梱包用ダンボール箱Ａ。好ましくは、上記破断状切込部がミシン目とされる。【選択図】図３
2007186221.tif 000002
【特許請求の範囲】
【請求項１】
箱体の一側面にノックアウト式に設けられた蓋体を有し、物品を梱包するダンボール箱であって、該蓋体は上記箱体の一側面の上部に設けられた上辺と、該上辺の両端部に繋がり側片と下辺とを形成する一連の破断状切込部とを設けて構成され、上記下辺の略中央部には舌状体が延設されるとともに、上記破断状切込部を切り離した後は、上記蓋体が上辺を軸として開閉自在に施蓋する梱包用ダンボール箱。
【請求項２】
上記破断状切込部がミシン目である請求項１に記載の梱包用ダンボール箱。
【請求項３】
上記蓋体が設けられた側面に収納された物品の品名が表示される請求項１に記載の梱包用ダンボール箱。
【請求項４】
上記物品が雨樋関連部材である請求項１に記載の梱包用ダンボール箱。
【発明の詳細な説明】
【技術分野】
【０００１】
本発明は、ダンボール箱に関する。さらに詳しくは、客先に商品を輸送するとともに、客先で各種物品を収納、保管することができる梱包用ダンボール箱に関する。
【背景技術】
【０００２】
例えば、雨樋施工の際に用いられる雨樋、エルボ等の工事関連部材はダンボール箱に梱包して倉庫や工務店等へ輸送され、一時的に保管された後、取り出して使用される。例えば、本願図４に示すように、上記エルボ３は、数個をリング状に組み合わせてダンボール箱Ｂに梱包されて届けられるが、使用する際は粘着テープ６を剥がし、蓋面を開けて取り出す必要がある。
【０００３】
一方、下記特許文献１の第１図、第５図にはダンボール箱の天面から任意の側面部に跨ってノックアウト式にミシン目等の破断状切込部を形成し、上記側面部の切込部を切り離すと天面の両側縁および天面後縁部が切り離されてダンボール箱が開口するようにされた梱包用ダンボール箱が開示されている。
【特許文献１】実録第３０１９０７１号公報（第１〜２頁、第１図、第５図）
【発明の開示】
【発明が解決しようとする課題】
【０００４】
しかしながら、上記特許文献１に記載の梱包用ダンボール箱を用いた場合、上にものが載せられたとき、それを除いて所要の部材を取り出さなければならず、また、何段かを積み重ねて在庫した場合、所望の部材を取り出すとき、上段の梱包用ダンボール箱を下ろす必要があるため、不便で手間がかかるという問題がある。
【０００５】
本発明はこのような問題を解決して、工場から客先の倉庫や工務店等までの間は、商品を梱包して保護し、安全に輸送するとともに、商品の到着後は一時保管が可能で、かつ、物品を簡単に取り出すことができる梱包用ダンボール箱を提供することを、その課題とする。
【課題を解決するための手段】
【０００６】
上記課題を解決するために、本発明においては、つぎのような技術的手段を講じている。すなわち、請求項１に記載の発明によれば、箱体の一側面にノックアウト式に設けられた蓋体を有し、物品を梱包するダンボール箱であって、該蓋体は上記箱体の一側面の上部に設けられた上辺と、該上辺の両端部に繋がり側片と下辺とを形成する一連の破断状切込部とを設けて構成され、上記下辺の略中央部には舌状体が延設されるとともに、上記破断状切込部を切り離した後は、上記蓋体が上辺を軸として開閉自在に施蓋する梱包用ダンボール箱が提供される。
【０００７】
請求項２に記載の梱包用ダンボール箱は、請求項１に記載の発明に加えて、  上記破断状切込部がミシン目とされる。
【０００８】
請求項３に記載の梱包用ダンボール箱は、請求項１に記載の発明に加えて、上記蓋体が設けられた側面に収納された物品の品名が表示されることが好ましい。この表示は、梱包用ダンボール箱に品名、品番、型番等を直接印刷するか、ラベル等に品名、品番、型番等を印刷し、このラベルを貼付することにより行う。
【０００９】
請求項４に記載の梱包用ダンボール箱は、請求項１に記載の発明に加えて、上記物品は、好ましくは、雨樋関連部材とされる。
【発明の効果】
【００１０】
請求項１に記載の発明にかかる梱包用ダンボール箱は上記のとおりであり、箱体の一側面にノックアウト式に設けられた蓋体が上記箱体の一側面の上部に設けられた上辺を軸として開閉自在とされ、下辺の略中央部には舌状体が延設されているため、上記舌状体を押込んで破断状切込部を切り離し、形成された空間から手を入れて、引き上げることにより簡単に蓋体を形成し、開封することができる。また、物品を取り出して蓋体を下方に回動した後は、上記舌状体は蓋体の係合片として機能し、しっかりと蓋体を閉止することができる。
【００１１】
請求項２に記載の梱包用ダンボール箱は上記のとおりであり、請求項１の梱包用ダンボール箱の有する効果に加え、上記破断状切込部がミシン目とされるため、用具等を用いることなく、手で簡単に開封することができる。
【００１２】
請求項３に記載の梱包用ダンボール箱は上記のとおりであり、請求項１の梱包用ダンボール箱の有する効果に加え、上記蓋体が設けられた側面に収納物の品名が表示されるため、一旦開封した後、蓋を閉じても外から収納物の品名、品番、型番等を容易に知ることができる。
【００１３】
請求項４に記載の梱包用ダンボール箱は上記のとおりであり、請求項１の梱包用ダンボール箱の有する効果に加え、上記物品を雨樋関連部材とすることにより、軒樋、竪樋、エルボ等、雨樋施工に関する部材を一括して保管できるため、作業性よく施工できる。
【発明を実施するための最良の形態】
【００１４】
以下、本発明の実施形態について図面を参照して、詳細に説明する。図１は本発明にかかる梱包用ダンボール箱Ａを示す斜視図である。図１に示すように、上面を粘着テープ６で封止された梱包用ダンボール箱Ａにおいて、蓋体２が設けられる側面１には上辺２１を軸として回動する蓋体２がノックアウト式に設けられている。すなわち、上記側面１には、上辺２１の両端部に繋がり、各側片２２および下辺２３を形成する一連の破断状切込部が設けられ、下辺２３の略中央部には舌状体２３１が延設されている。
【００１５】
図２は破断状切込部としてのミシン目を切り離して蓋体２を形成するとともに、開封した状態を示す斜視図である。蓋体２は、上記舌状体２３１を押込んでミシン目を切り離し、そこに形成された空間から手を入れ、ミシン目に沿って引き上げることにより容易に形成される。開封後は、蓋体２は上辺２１を軸として開閉自在となるため、蓋体２を開ければエルボ３を簡単に取り出すことができる。また、開封後の上記側面１に形成された凹部は、後記するように舌状体２３１と係合する係合部１１として機能する。
【００１６】
図２に示されているように、上記梱包用ダンボール箱Ａには、物品、例えば、雨樋を取り付ける際に用いられるエルボ３を数個リング状に組み合わせたものが２列に収納されている。工場から客先までの間は、エルボ３を図１に示すように梱包して保護し、安全に輸送するが、客先、例えば、工務店の倉庫に到着した後は一時保管するための収納用ダンボール箱として使用される。
【００１７】
図３は、梱包用ダンボール箱Ａに数種類の雨樋関連部材を収納して積み重ねた状態を示す斜視図である。図３に示されているように、例えば、前記エルボ３と竪樋４とを梱包用ダンボール箱Ａに個別に保管することにより、部材別に整理して収納することができる。所望の部材を取り出した後は、蓋体２を回動させて閉じ、舌状体２３１を係合部１１に係合させることにより、開口部をしっかりと閉止することができる。
【００１８】
図３の下段に示されているように、閉じた状態で収納物を視認できないときは、側面１に収納物の品名表示部５が設けられているため、使用者は表示された部材の品名、品番、型番等を容易に知ることができ、簡単に必要な部材を取り出すことができる。なお、図３には上記蓋体２を上下に回動する形態を示しているが、梱包用ダンボール箱Ａを９０度回転させて置き、左右に回動する形態としてもよい。また、雨樋関連部材のみならず、種々の他の物品にも適用可能である。このように、本発明にかかる梱包用ダンボール箱Ａは設計変更自在であり、いずれの場合も特許請求の範囲を逸脱しない限り本発明の技術的範囲に属する。
【図面の簡単な説明】
【００１９】
【図１】本発明にかかる梱包用ダンボール箱を示す斜視図である。
【図２】上記梱包用ダンボール箱の蓋体を開けた状態を示す斜視図である。
【図３】上記梱包用ダンボール箱に雨樋関連部材を収納して積み重ねた状態を示す斜視図である。
【図４】公知のダンボール箱に雨樋関連部材を収納した状態を示す斜視図である。
【符号の説明】
【００２０】
Ａ          本発明にかかる梱包用ダンボール箱
Ｂ          公知のダンボール箱
１          蓋体が設けられる側面
１１        係合部
２          蓋体
２１        上辺
２２        側片
２３        下辺
２３１      舌状体
３          エルボ
４          竪樋
５          品名表示部
６          粘着テープ
【図１】
2007186221.tif 000003
【図２】
2007186221.tif 000004
【図３】
2007186221.tif 000005
【図４】
2007186221.tif 000006